(57)【要約】【課題】外出時などに監視解除状態を監視状態にするのを忘れても監視状態への移行を誘導する監視システムを提供する。【解決手段】リモコン１７による監視要求信号の送信を忘れて外出しても、監視手段１２がリモコン１７に対して動作確認のため定期的に応答要求信号を送信し、応答要求信号に対するリモコン１７からの応答がない場合は、監視解除状態のままで通信ができない場所に居るとして携帯電話２０に通報するので、監視解除状態のままで外出したことを使用者に気づかせることができ、安心感が向上する。【選択図】  図１
2004152234.tif 000002
【特許請求の範囲】
【請求項１】
定常または非定常の状態を監視する監視手段と、前記監視手段と双方向通信可能な無線型のリモコンとを備え、前記監視手段は、動作確認のための前記リモコンに対する定期的な応答要求信号の送信と、前記応答要求信号に対する前記リモコンからの応答信号の受信とを行うとともに、前記応答信号の受信ができない場合は予め設定された通報先への通報を行う監視システム。
【請求項２】
定常または非定常の状態を監視する監視手段と、前記監視手段と双方向通信可能な無線型のリモコンとを備え、前記監視手段は、前記リモコンから監視状態への移行を要求する監視要求信号を受信すると、前記監視要求信号の受信の通知とそれに対する応答を要求する応答要求信号を前記リモコンに対して送信し、前記応答要求信号に対する前記リモコンからの応答信号を受信するとともに、前記応答信号の受信ができない場合は予め設定された通報先に通報する監視システム。
【請求項３】
監視手段は、リモコンからの応答信号を受信すると、通報先に対して監視状態への移行を通報する請求項３記載の監視システム。
【請求項４】
通報先から監視手段に対して監視状態への移行を要求することが可能な請求項１〜３のいずれか１項記載の監視システム。
【請求項５】
監視手段は、電話回線を介して電話により通報先に通報する請求項１〜４のいずれか１項記載の監視システム。
【請求項６】
監視手段は、インターネットを介して電子メールにより通報先に通報する請求項１〜５のいずれか１項記載の監視システム。
【請求項７】
監視手段は、専用のＷＥＢサーバにリモコンとの通信状態データを送信し、使用者は前記ＷＥＢサーバに蓄積した前記通信状態データを閲覧可能な請求項１〜６のいずれか１項記載の監視システム。
【請求項８】
定常または非定常の状態を監視する監視手段と、前記監視手段と双方向通信可能な無線型のリモコンとを備え、前記監視手段は、前記リモコンから監視状態への移行を要求する監視要求信号を受信すると、前記監視要求信号の受信の通知とそれに対する応答を要求する応答要求信号を前記リモコンに対して送信し、前記応答要求信号に対する前記リモコンからの応答信号を受信するとともに、前記応答信号の受信ができない場合は前記監視手段から警報を発生する監視システム。
【発明の詳細な説明】
【０００１】
【発明の属する技術分野】
本発明は、防犯用の監視システムに関するものである。
【０００２】
【従来の技術】
従来、この種の監視システムは、複数の監視建物Ａ、Ｂ…のそれぞれに、例えば、監視建物Ａの内部（周辺も含んでもよい）には侵入者検出、火災検出用の複数のセンサ１Ａ、２Ａ、３Ａ、４Ａと、これらのセンサからの入力に基づき警備センター１１へ電話回線７Ａを介して通報したり、警備領域内を監視状態又は監視解除状態にするなどの制御を行うコントローラ５Ａと、コントローラ５Ａに対して監視解除状態を監視状態にする要求を行う無線式の警備用セット操作装置６Ａが設けられる。尚、ここでは、センサ１Ａ、２Ａ、３Ａからコントローラ５Ａへは信号が有線で、センサ４Ａからコントローラ５Ａへは信号が無線で送信される。コントローラ５Ａは電話回線７Ａ、交換機９、電話回線１０を経由して警備センター１１に接続される（例えば、特許文献１参照）。
【０００３】
【特許文献１】
特開平１０−３３４３７８号公報
【０００４】
【発明が解決しようとする課題】
しかしながら、前記従来の監視システムの構成では、使用者が監視建物Ａから外出する際などに、警備用セット操作装置６Ａからコントローラ５Ａに対して監視解除状態を監視状態にする要求を行なうのを忘れて外出してしまうと、監視建物Ａの監視ができないといった課題があった。
【０００５】
本発明は、前記従来の課題を解決するもので、外出時などに監視解除状態を監視状態にするのを忘れても監視状態への移行を誘導する監視システムを提供することを目的とする。
【０００６】
【課題を解決するための手段】
前記従来の課題を解決するために、本発明の監視システムは、監視手段がリモコンに対して動作確認のため定期的に応答要求信号を送信し、前記応答要求信号に対する前記リモコンからの応答がない場合は、通報先に通報する構成としたものである。これによって、万一、監視解除状態でリモコンを持って外出しても、リモコンが監視手段と通信不可能な状態にあることを通報先に通報して気づかせることができ、安心感が向上する。
【０００７】
【発明の実施の形態】
請求項１に記載の発明は、監視手段がリモコンに対して動作確認のため定期的に応答要求信号を送信し、リモコンからの応答が無ければ予め設定された通報先に通報することにより、万一、監視解除状態でリモコンを持って外出しても、リモコンが監視手段と通信不可能な状態にあることを通報先に通報して気づかせることができ、安心感が向上する。
【０００８】
請求項２に記載の発明は、監視手段がリモコンからの監視要求信号を受信すると、監視要求信号の受信の通知とそれに対する応答を要求する応答要求信号を前記リモコンに対して送信し、応答要求信号に対するリモコンからの応答信号がない場合は、予め設定された通報先に通報することにより、リモコン使用者がリモコンからの監視要求信号が監視手段に正確に伝わったかどうかが判る上、万一、電波障害やリモコン・監視手段の通信系の故障などによりリモコンからの応答信号がない場合は、監視状態への移行が完了していないことを予め設定された通報先に通報することができ、安心感が向上する。
【０００９】
請求項３に記載の発明は、特に、請求項２に記載の監視手段に対し、リモコンからの応答信号を受信すると、通報先に対して監視状態への移行を通報する構成とすることにより、通報先で監視状態への移行を確認することができ、安心感が向上する。
【００１０】
請求項４に記載の発明は、特に、請求項１〜３のいずれか１項に記載の監視手段に対し、通報先から監視手段に対して監視状態への移行を要求することが可能な構成とすることにより、万一、監視解除状態のままで外出しても、監視手段に対し、通報先から監視状態への移行を指示できるので、安心感がさらに向上する。
【００１１】
請求項５に記載の発明は、特に、請求項１〜４のいずれか１項に記載の監視手段が、電話回線を介して電話により通報先に通報する構成とすることにより、万一、監視解除状態のままで外出しても、電話回線を介して使用者の携帯電話や出先の固定電話などに通報することができ、安心感が向上する。
【００１２】
請求項６に記載の発明は、特に、請求項１〜５のいずれか１項に記載の監視手段が、インターネットを介して電子メールにより通報先に通報する構成とすることにより、万一、監視解除状態のままで外出しても、電子メールにより電子メール受信可能な携帯電話や出先のパソコンなどに通報することができ、安心感が向上する。
【００１３】
請求項７に記載の発明は、特に、請求項１〜６のいずれか１項に記載の監視手段が、専用のＷＥＢサーバにリモコンとの通信状態データを送信し、使用者は前記ＷＥＢサーバに蓄積した前記通信状態データを閲覧可能な構成とすることにより、外出先でＷＥＢサーバに蓄積した前記通信状態データを閲覧して現在の監視状態がどのようになっているかを知ることができ、安心感が向上する。
【００１４】
請求項８に記載の発明は、監視手段がリモコンからの監視要求信号を受信すると、監視移行信号をリモコンに対して送信し、監視移行信号に対するリモコンからの応答信号を受信し、応答信号が受信されない場合は、監視手段から警報を発生することにより、万一、監視解除状態のままで外出しても、監視手段から警報を発生して外出した使用者に注意を喚起するので、安心感が向上する。
【００１５】
【実施例】
以下本発明の実施例について、図面を参照しながら説明する。
【００１６】
（実施例１）
図１は、本実施例１の監視システムのシステムブロック図を示す。
【００１７】
１２は監視手段で、監視手段１２は、中央処理装置１３、端末器１４〜１６を有している。１７は中央処理装置１３用のリモコンである。中央処理装置１３と端末器１４〜１６、リモコン１７の間は、無線による通信手段によって通信が行われる。端末器１４には窓やドア用としての侵入検知手段が、端末器１５には人感センサが、端末器１６には緊急コールペンダントがそれぞれ設けられている。１８は電話機である。中央処理装置１３は公衆回線１９を介して予め登録された通信装置２０〜２２に通報することができる。通信装置２０〜２２としては、それぞれ、例えば、リモコン１７の所有者の携帯電話機、前記所有者の出先（例えば、会社等）の固定電話機、警備会社の固定電話機である。
【００１８】
図２は中央処理装置１３のブロック図である。２３はデータ通信手段、２４は音声を変復調して通信を行う音声通信手段、２５は音声通信手段２４から出力される音声を拡声する音声出力手段、２６は中央処理装置１３から端末器１４〜１６に対して音声を送信するための音声入力手段、２７は中央処理装置１３全体の動作を設定する設定部、２８は電話回線に接続するための送受信部、２９はデータ通信手段２３、音声通信手段２４、送受信部２８を制御する制御手段である。
【００１９】
図３は端末器１７のリモコンのブロック図である。１８は中央処理装置１３と通信を行うためのデータ通信手段、１９は監視を作動するための監視ボタン、２０は監視解除ボタン、２１は監視状態を表示する報知手段、２２はデータ通信手段１８、報知手段２１を制御する端末制御手段である。
【００２０】
以上の構成と図４に基づいて本発明の動作を説明する。図４は本実施例１の動作を示すフローチャートである。
【００２１】
まず、使用者が住居に在室の場合、ステップＳＴ１で監視解除状態である。次に、ステップＳＴ２で中央処理装置１３がリモコン１７からの監視要求信号を受信したかどうかが判定される。監視要求信号を受信していない場合はステップＳＴ３である設定時間が経過したかどうかが判定され、設定時間が経過していなければ、ステップＳＴ２に戻る。設定時間が経過した場合は、ステップＳＴ４で中央処理装置１３がリモコンに対して動作確認のため定期的に応答要求信号を送信する。そして、ステップＳＴ５で応答要求信号に対するリモコンからの応答信号を中央処理装置１３が受信したかどうかが判定され、応答信号を受信した場合はステップＳＴ２に戻る。
【００２２】
次に、使用者がリコモンで監視状態を設定せずに外出した場合を説明する。リコモンで監視状態を設定せずに外出すると、動作確認のための応答要求信号の送信電波がリモコンまで届かなくなり、送信ステップＳＴ５では、所定時間内に応答信号を受信できなくなり、ステップＳＴ６で予め定められた通報先に通報がなされる。ここでは、電話回線を介して携帯電話機２０へ通報され、監視解除状態のままで通信ができない場所に居ることが報知される。そして、ステップＳＴ７で通報先から監視状態へ移行するかどうかの意向が聞かれ、監視状態へ移行する場合は、携帯電話機より所定のＤＴＭＦ信号を中央処理装置１３へ送信し、ステップＳＴ８で監視状態の設定が行われる。監視状態は、ステップＳＴ９でリモコンから監視解除信号が送信されるまで継続される。
【００２３】
監視状態では、端末器１４〜１６により監視動作が行われ、侵入検知したり、緊急コールボタンが押されると、所定の通報先に通報される。また、中央処理装置１３の音声通信手段２４により端末器１４〜１６と双方向で音声会話が可能であり、侵入者の威嚇や緊急コールの当事者との会話も可能である。また、中央処理装置１３を介して通報先と端末器１４〜１６との音声会話も可能である。
【００２４】
尚、使用者がリコモンで監視状態を設定して外出した場合は、ステップＳＴ２からステップＳＴ８へ移行し、監視状態の設定が行われる。
【００２５】
以上のように、本実施例では、監視手段がリモコンに対して動作確認のため定期的に応答要求信号を送信し、前記応答要求信号に対する前記リモコンからの応答がない場合は、通報先に通報する構成としたもので、これによって、例えば、通報先をリモコン使用者の携帯電話機にしておけば、リモコンによる監視要求信号の送信を忘れて外出しても、監視手段がリモコンに対して動作確認のため定期的に応答要求信号を送信し、応答要求信号に対するリモコンからの応答がない場合は、リモコンが監視手段と通信不可能な状態にあることを電話回線を介して通報先の携帯電話に通報して気づかせることができるので、安心感が向上する。
【００２６】
また、通報先から監視状態への移行を要求することが可能な構成とすることにより、万一、監視解除状態のままで外出しても、監視手段に対し、通報先から監視状態への移行を指示できるので、安心感がさらに向上する。
【００２７】
尚、監視手段がリモコンからの監視要求信号を受信すると、監視移行信号をリモコンに対して送信し、監視移行信号に対するリモコンからの応答信号を受信し、応答信号がない場合は、監視状態への移行が完了していないことを予め設定された通報先に通報する構成としてもよく、リモコン使用者がリモコンからの監視要求信号が監視手段に正確に伝わったかどうかが判る上、万一、電波障害やリモコン・監視手段の通信系の故障などによりリモコンからの応答信号がない場合は、監視状態への移行が完了していないことを予め設定された通報先に通報することができ、安心感が向上する。
【００２８】
また、監視手段が、インターネットを介して電子メールにより通報先に通報する構成としてもよく、万一、監視解除状態のままで外出しても、電子メールにより電子メール受信可能な携帯電話や出先のパソコンなどに通報することができ、安心感が向上する。
【００２９】
また、監視手段が、専用のＷＥＢサーバにリモコンとの通信状態データを送信し、使用者は前記ＷＥＢサーバに蓄積した前記通信状態データを閲覧可能な構成としてもよく、外出先でＷＥＢサーバに蓄積した前記通信状態データを閲覧して現在の監視状態がどのようになっているかを知ることができ、安心感が向上する。
【００３０】
また、監視手段がリモコンからの監視要求信号を受信すると、監視移行信号をリモコンに対して送信し、監視移行信号に対するリモコンからの応答信号を受信し、応答信号が受信されない場合は、監視手段から警報を発生する構成としてもよく、万一、監視解除状態のままで外出しても、監視手段から警報を発生して外出した使用者に注意を喚起するので、安心感が向上する。
【００３１】
さらに、リモコンを赤外線通信やＢｌｕｅｔｏｏｔｈ通信、ＥＣＨＯＮＥＴ、電子メール、ＷＥＢ閲覧等が可能な携帯電話機や携帯型情報端末機と兼用し、前記携帯電話機や前記携帯型情報端末機と監視手段とが双方向通信可能な構成としてもよく、使い勝手を向上することができる。
【図面の簡単な説明】
【図１】本発明の実施例１のシステムブロック図
【図２】本発明の実施例１の中央処理装置のブロック図
【図３】本発明の実施例１のリモコンのブロック図
【図４】本発明の実施例１の動作手順を示すフローチャート
【図５】従来の監視システムのブロック図
【符号の説明】
１２  監視手段
１７  リモコン
２０  携帯電話機
【図１】
2004152234.tif 000003
【図２】
2004152234.tif 000004
【図３】
2004152234.tif 000005
【図４】
2004152234.tif 000006
【図５】
2004152234.tif 000007